(57)【要約】【課題】画像表示装置において、鑑賞者が立体画像の鑑賞有効範囲を外れて鑑賞した場合であっても、２重に表示された画像を鑑賞することなく、正しい画像を鑑賞可能にする。【解決手段】立体画像鑑賞用眼鏡３は、切替信号送信部８から送信された切替信号を受信したとき、切替信号に基づいて左右眼前の透光状態を切り替えると共に、画像表示装置２に受信完了信号を送信し、画像表示装置２は、立体画像鑑賞用眼鏡３から送信された受信完了信号を受信する完了信号受信部９をさらに備え、完了信号受信部９が受信完了信号を受信しないとき、画像表示部６から視差のない画像を表示させる。【選択図】図２
2012227882.tif 000002
【特許請求の範囲】
【請求項１】
視差のある画像を交互に表示する画像表示部と、この画像表示部によって表示される画像に同期して立体画像鑑賞用眼鏡に切替信号を送信する切替信号送信部とを備えた画像表示装置において、
前記立体画像鑑賞用眼鏡は、前記切替信号送信部から送信された前記切替信号を受信したとき、該切替信号に基づいて眼鏡左右の透光状態を切り替えると共に、前記画像表示装置に受信完了信号を送信し、
前記画像表示装置は、前記立体画像鑑賞用眼鏡から送信された受信完了信号を受信する完了信号受信部をさらに備え、
前記完了信号受信部が前記受信完了信号を受信しないとき、前記画像表示部から視差のない画像を表示させることを特徴とする画像表示装置。
【請求項２】
前記切替信号送信部及び前記完了信号受信部は、１対ずつ設けられており、各切替信号送信部及び各完了信号受信部は、それぞれ前記画像表示部の左右両端近傍に設けられ、
前記画像表示装置は、全ての完了信号受信部が前記受信完了信号を受信しないとき、前記画像表示部から視差のない画像を表示させることを特徴とする請求項１に記載の画像表示装置。
【請求項３】
前記切替信号及び受信完了信号は、赤外線を介して送信又は受信されることを特徴とする請求項１又は請求項２に記載の画像表示装置。
【発明の詳細な説明】
【技術分野】
【０００１】
本発明は、立体画像（３Ｄ画像）を鑑賞可能とする画像表示装置に関する。
【背景技術】
【０００２】
従来から、視差のある２つの画像を交互に表示して、専用の眼鏡を用いて立体画像を鑑賞可能とする画像表示装置が知られている。このような画像表示装置においては、眼鏡を着用していないときに視差のある２つの画像を交互に表示すると、２重に表示された画像を鑑賞することになり、正しい画像を鑑賞することができない。そこで、例えば、特許文献１乃至特許文献３には、眼鏡の着用の有無を検知して、その検知結果に応じた画像を表示する技術が開示されている。また、特許文献４には、平面画像（２Ｄ画像）と立体画像が混在するコンテンツを再生する際に、平面画像を立体画像に変換して表示する技術が開示されている。
【先行技術文献】
【特許文献】
【０００３】
【特許文献１】特開２０１０−２７６７２１号公報
【特許文献２】特開２０１０−１５４５３３号公報
【特許文献３】特開２０００−００４４５３号公報
【特許文献４】特開２００８−００５２０３号公報
【発明の概要】
【発明が解決しようとする課題】
【０００４】
専用の眼鏡を用いて立体画像を鑑賞する際には、表示された画像と視差が略一致する領域、すなわち立体画像の鑑賞有効範囲内から鑑賞する必要がある。立体画像の鑑賞有効範囲を外れて鑑賞する場合には、交互に表示される画像と視差が一致しないため、立体として鑑賞することができない。従って、専用の眼鏡を着用していても２重に表示された画像を鑑賞することになり、正しい画像を鑑賞することができない。
【０００５】
しかしながら、上記いずれの特許文献に示された技術を用いても鑑賞有効範囲を外れて鑑賞した場合には、やはり２重に表示された画像を鑑賞することになり、正しい画像を鑑賞することができない。
【０００６】
本発明は、上記課題を解決するためになされたものであり、鑑賞者が立体画像の鑑賞有効範囲を外れて鑑賞した場合であっても、２重に表示された画像を鑑賞することなく、正しい画像を鑑賞できる画像表示装置を提供することを目的とする。
【課題を解決するための手段】
【０００７】
上記目的を達成するために請求項１の発明は、視差のある画像を交互に表示する画像表示部と、この画像表示部によって表示される画像に同期して立体画像鑑賞用眼鏡に切替信号を送信する切替信号送信部とを備えた画像表示装置において、前記立体画像鑑賞用眼鏡は、前記切替信号送信部から送信された前記切替信号を受信したとき、該切替信号に基づいて眼鏡左右の透光状態を切り替えると共に、前記画像表示装置に受信完了信号を送信し、前記画像表示装置は、前記立体画像鑑賞用眼鏡から送信された受信完了信号を受信する完了信号受信部をさらに備え、前記完了信号受信部が前記受信完了信号を受信しないとき、前記画像表示部から視差のない画像を表示させることを特徴とする。
【０００８】
請求項２の発明は、請求項１に記載の画像表示装置において、前記切替信号送信部及び前記完了信号受信部は、１対ずつ設けられており、各切替信号送信部及び各完了信号受信部は、それぞれ前記画像表示部の左右両端近傍に設けられていることを特徴とする。
【０００９】
請求項３の発明は、請求項１又は請求項２に記載の画像表示装置において、前記切替信号及び受信完了信号は、赤外線を介して送信又は受信されることを特徴とする。
【発明の効果】
【００１０】
請求項１の発明によれば、前記完了信号受信部が前記受信完了信号を受信しないとき、立体画像鑑賞用眼鏡を着用した鑑賞者が立体画像の鑑賞有効範囲の外部にいると判断し、画像表示部から視差のない画像を表示させる。これにより、鑑賞者が立体画像の鑑賞有効範囲を外れて鑑賞した場合であっても、２重に表示された画像を鑑賞することなく、正しい画像を鑑賞できる。
【００１１】
請求項２の発明によれば、画像表示部の左右両端近傍に１対ずつ設けられている切替信号送信部及び完了信号受信部によって、切替信号送信部と立体画像鑑賞用眼鏡の間における切替信号の送受信が可能な範囲を特定し、立体画像の鑑賞有効範囲と一致させ易くなる。
【００１２】
請求項３の発明によれば、通信媒体として電波よりも指向性の強い赤外線を用いるので、上記切替信号の送受信が可能な範囲と立体画像の鑑賞有効範囲とを一致させるのがより一層容易になる。
【図面の簡単な説明】
【００１３】
【図１】本発明の一実施形態によるＤテレビジョンの構成を示すブロック図。
【図２】画像表示装置と立体画像鑑賞用眼鏡とによって切替信号と受信完了信号が送受信される様子を示す図。
【図３】画像表示装置の切替信号送信部から送信される切替信号を受信可能な領域を示す平面図。
【図４】画像表示装置の動作を示すフローチャート。
【発明を実施するための形態】
【００１４】
本発明の一実施形態による画像表示装置について図面を参照して説明する。図１は画像表示装置を備えた３Ｄテレビジョン（３Ｄ画像表示装置）の構成を示す。３Ｄテレビジョン１は、画像表示装置（本体）２と、立体画像鑑賞用眼鏡３等によって構成されている。
【００１５】
画像表示装置２は、チューナ部４と、信号処理部５と、画像表示部６と、音声出力部７と、切替信号送信部８と、完了信号受信部９と、制御部１０を有している。チューナ部４は、アンテナを介して放送信号を受信する。信号処理部５は、チューナ部４によって受信された放送信号にデコード等の処理を施す。画像表示部６は、例えば、液晶表示パネル等によって構成され、信号処理部５によって処理された信号（画像信号）に基づいて画像を表示する。立体画像を表示する際、画像表示部６は、視差のある画像を交互に表示する。視差のある画像は、チューナ部４が受信する放送信号や、ＨＤＭＩ端子を介して接続されたプレーヤ装置が再生する信号に含まれる。音声出力部７は、スピーカ等によって構成され、信号処理部５によって処理された信号（音声信号）に基づいて音声を出力する。切替信号送信部８は、立体画像鑑賞用眼鏡３に切替信号を送信する。切替信号は、画像表示部６によって表示される画像に同期して送信される。完了信号受信部９は、立体画像鑑賞用眼鏡３から送信された受信完了信号を受信する。制御部１０は、各部の制御を司る。
【００１６】
立体画像鑑賞用眼鏡３は、シャッタ１１と、シャッタ駆動部１２と、切替信号受信部１３と、完了信号送信部１４と、制御部１５と、電池（図示せず）を有している。シャッタ１１は、眼鏡左右に設けられ、交互に透光状態を切り替える。シャッタ駆動部１２は、切替信号送信部８から送信された切替信号に同期させて左右のシャッタ１１を交互に開閉駆動してする。これにより、画像表示部６に交互に表示される視差のある画像とシャッタ１１の透光状態が同期され、立体画像が鑑賞可能とされる。切替信号受信部１３は、切替信号送信部８から送信された切替信号を受信する。完了信号送信部１４は、切替信号受信部１３によって切替信号が受信されたことに呼応して、画像表示装置２に受信完了信号を送信する。制御部１５は、各部の制御を司る。例えば、切替信号受信部１３によって切替信号が受信されたとき、制御部１５は完了信号送信部１４に受信完了信号を送信させると共に、切替信号に基づいてシャッタ駆動部１２を制御してシャッタ１１の開閉駆動を画像表示部６に表示される視差のある画像に同期させる。
【００１７】
図２は、画像表示装置２と立体画像鑑賞用眼鏡３とによって切替信号と受信完了信号が送受信される様子を示している。切替信号を送信する切替信号送信部８及び完了信号受信部９は、画像表示部６の左右両端近傍に１対ずつ設けられている。本実施形態においては、切替信号及び受信完了信号は、赤外線を通信媒体とする信号である。従って、切替信号送信部８及び完了信号受信部９は、赤外線通信（送受信）回路によって構成される。立体画像鑑賞用眼鏡３の側の切替信号受信部１３及び完了信号送信部１４に関しても同様である。
【００１８】
図３は、画像表示装置２の切替信号送信部８から送信される切替信号を受信可能な領域を示している。各切替信号送信部８から送信される切替信号は、各切替信号送信部８を中心とする扇状の領域において受信可能である。従って、図３においてハッチングが重なる領域は、いずれの切替信号送信部８から送信された切替信号も受信可能である。同様に、ハッチングが重なる領域にある立体画像鑑賞用眼鏡３から送信された受信完了信号は、いずれの完了信号受信部９によっても受信可能である。そして、このハッチングが重なる領域は、立体画像鑑賞用眼鏡３を着用することにより、画像表示部６に交互に表示される視差のある画像を立体画像として鑑賞可能な領域（立体画像の鑑賞有効範囲）と略一致する。なお、左右の切替信号送信部８から送信される信号は、同一の信号であっても異なる信号であってもよい。左右の切替信号送信部８から異なる信号を送信することにより、立体画像鑑賞用眼鏡３は、両方の信号を受信したとき、受信完了信号を送信するようにも構成できる。
【００１９】
そこで、本実施形態においては、１対の切替信号送信部８から送信される切替信号が立体画像鑑賞用眼鏡３の切替信号受信部１３によって受信され、完了信号送信部１４から送信された受信完了信号が完了信号受信部９によって受信されたとき、立体画像鑑賞用眼鏡３を着用した鑑賞者が立体画像の鑑賞有効範囲に存在するとして、画像表示部６に視差のある画像を交互に表示させる。一方、いずれか又は両方の完了信号受信部９によって受信完了信号が受信されなかった場合は、立体画像鑑賞用眼鏡３を着用した鑑賞者が立体画像の鑑賞有効範囲に存在しないとして、画像表示部６に視差のない画像を表示させる。視差のない画像の表示に必要な信号は、例えば信号処理部５によって生成される。
【００２０】
図４は、画像表示装置２の動作を示す。画像表示装置２は、表示モードとして３Ｄ表示モードと２Ｄ表示モードを有し、設定画面を参照することにより、表示モードが切り替えられる。３Ｄ表示モードの設定がオンになっていれば（＃１においてＹＥＳ）、左右１対の切替信号送信部８から切替信号を送信し（＃２）、所定の時間待機する（＃３）。立体画像鑑賞用眼鏡３が立体画像の鑑賞有効範囲に存在し、この切替信号を受信すると、立体画像鑑賞用眼鏡３から送信された受信完了信号が返信される。そして、左右の完了信号受信部９が受信完了信号を受信すると（＃４においてＹＥＳ）、＃２に戻る。この間、画像表示部６に視差のある画像が表示され、鑑賞者は立体画像を鑑賞できる。一方、いずれか又は両方の完了信号受信部９によって受信完了信号が受信されなかった場合は（＃４においてＮＯ）、ＯＳＤ等により画像表示部６に２Ｄ表示モードへの切替警告表示を開始して（＃５）、所定の時間経過後、２Ｄ表示モードに切り替えて、画像表示部６に視差のない画像を表示させ（＃６）、＃２に戻る。なお、３Ｄ表示モードの設定がオフになっていれば（＃１においてＮＯ）、画像表示部６に視差のない画像を表示させ、終了する。
【００２１】
以上のように、本実施形態の３Ｄテレビジョン１によれば、完了信号受信部９が受信完了信号を受信しないとき、立体画像鑑賞用眼鏡３を着用した鑑賞者が立体画像の鑑賞有効範囲の外部にいると判断し、画像表示部６から視差のない画像を表示させる。これにより、鑑賞者が立体画像の鑑賞有効範囲を外れて鑑賞した場合であっても、２重に表示された画像を鑑賞することなく、正しい画像を鑑賞できる。
【００２２】
また、画像表示部６の左右両端近傍に１対ずつ設けられている切替信号送信部８及び完了信号受信部９によって、切替信号送信部８及び完了信号受信部９と立体画像鑑賞用眼鏡３の間における切替信号の送受信が可能な範囲を特定し、立体画像の鑑賞有効範囲と一致させ易くなる。また、通信媒体として電波よりも指向性の強い赤外線を用いるので、上記切替信号の送受信が可能な範囲と立体画像の鑑賞有効範囲とを一致させるのがより一層容易になる。
【００２３】
なお、本発明は上記実施形態の構成に限られることなく、少なくとも立体画像鑑賞用眼鏡３は、切替信号送信部８から送信された切替信号を受信したとき、画像表示装置２に受信完了信号を送信し、完了信号受信部９が受信完了信号を受信しないとき、画像表示部６から視差のない画像を表示させるように構成されていればよい。
【００２４】
また、本発明は種々の変形が可能であり、例えば、切替信号送信部８及び／又は完了信号受信部９は、単数であっても複数であってもよく、その配置は、図２に示した形態に限られない。また、切替信号及び受信完了信号の通信媒体は、指向性の強い赤外線が望ましいが、電波であってもよい。また、立体画像鑑賞用眼鏡３は、液晶等のシャッタ機能を有するものの他、偏光レンズを備えたものであってもよい。
【００２５】
また、画像表示装置２に撮像装置を備え、画像処理により立体画像の鑑賞有効範囲内に立体画像鑑賞用眼鏡３を着用した鑑賞者を検出したとき、画像表示部６から視差のある画像を表示させるように構成してもよい。
【符号の説明】
【００２６】
１    ３Ｄテレビジョン
２    画像表示装置
３    立体画像鑑賞用眼鏡
６    画像表示部
８    切替信号送信部
９    完了信号受信部
【図１】
2012227882.tif 000003
【図２】
2012227882.tif 000004
【図３】
2012227882.tif 000005
【図４】
2012227882.tif 000006